(57)【要約】【課題】  比較的小型の球払出装置でも適正な払出作動が可能で長期間安定して作動させ得る払出制御機構を提供する。【解決手段】  遊技球を貯留する球貯留タンクと球払出装置との間を結んで遊技球を供給する案内通路４２に、この案内通路を流下する遊技球の圧力により回転可能に設けられた球受け回転体１２０と、球受け回転体の回転を規制せずに遊技球の圧力による球受け回転体の回転を許容する解放状態、および球受け回転体の回転を規制して案内通路の上流側に貯留された遊技球から作用する圧力を受け止める受圧状態に変移可能に設けられた回転制御機構１３０とを備え、制御装置が、球払出モータの回転起動に先立って回転制御機構１３０を作動させ受圧状態にするように球払出制御機構を構成する。【選択図】  図３
2005160552.tif 000002
【特許請求の範囲】
【請求項１】
遊技盤の背面を覆って取り付けられた裏セット盤に、遊技球を貯留する球貯留タンクと、前記球貯留タンクよりも下方に位置して設けられ前記遊技盤における入賞条件に応じた所定数量の遊技球を払い出す球払出装置と、前記球貯留タンクと前記球払出装置との間を結んで設けられ前記球貯留タンクに貯留された遊技球を整列させて前記球払出装置に導く案内通路と、前記球払出装置から払い出された遊技球を球皿に導く球払出通路と、前記球払出装置の作動を制御する制御装置とを備え、
前記球払出装置が、前記制御装置により回動が制御される球払出モータと、前記球払出モータに駆動される球送り回転体とを有し、前記案内通路に整列待機された遊技球を前記球送り回転体の回動により前記球払出通路側に移動させて遊技球を払い出すモータ駆動型の球払出装置である弾球遊技機において、
前記案内通路に当該案内通路を流下する遊技球の圧力により回転可能に設けられた球受け回転体と、
前記球受け回転体の回転を規制せずに遊技球の圧力による前記球受け回転体の回転を許容する解放状態、および前記球受け回転体の回転を規制して前記案内通路の上流側に貯留された遊技球から作用する圧力を受け止める受圧状態に変移可能に設けられた回転制御手段とを備え、
前記制御装置が、前記球払出モータの回転起動に先立って前記回転制御手段を作動させ、前記受圧状態にさせるように構成したことを特徴とする弾球遊技機の球払出制御機構。
【発明の詳細な説明】
【技術分野】
【０００１】
本発明は、遊技球を貯留する球貯留タンクと、球貯留タンクから導かれた遊技球を遊技盤における入賞条件に応じて払い出すモータ駆動型の球払出装置とを備えた弾球遊技機に関し、さらに詳細には、球払出装置よりも上流側に貯留された遊技球から圧力を受けつつ作動する球払出装置の払出制御機構に関する。
【背景技術】
【０００２】
従来から、パチンコ機等のように遊技球を遊技媒体として利用する弾球遊技機には、遊技盤の背後に裏セット盤と称される機構セット盤が開閉可能に設けられ、この裏セット盤に、遊技盤における入賞状態に応じて遊技球を払い出す球払出装置が用いられている。球払出装置の上方には多数の遊技球を貯留する球貯留タンクと球貯留タンクに貯留された遊技球を整列させて球払出装置に導く案内通路が設けられ、球払出装置の下方には球払出装置から払い出された遊技球を遊技機前面の球皿に導く球払出通路が形成されるとともに、球払出装置の作動を制御する制御装置が設けられて球払出制御機構が構成されている。
【０００３】
近年の球払出装置では、一回の入賞時に払い出す遊技球の個数（払出賞球数という）を任意に設定することができ、また入賞した入賞具の種別やタイミング等の入賞条件に応じて複数種類の払出賞球数を設定でき、さらに、いわゆるＣＲ機における球貸し時の払い出しにも対応できるように、モータ駆動型の球払出装置が一般的に用いられている。モータ駆動型の球払出装置は、制御装置により回動が制御される球払出モータと、球払出モータに駆動される球送り回転体とを有し、案内通路に整列待機された遊技球を球送り回転体の回動により球払出通路側に移動させて遊技球を払い出すように構成されている（例えば、特許文献１を参照）。
【特許文献１】特開２００３−１６４６２６号公報（第２４〜２５頁、第２８図）
【０００４】
ここで、球払出制御機構における球払出装置周辺の具体的な構成例を図１５に示し、この球払出制御機構による払い出しの作用を図１６に示すように、近年の球払出制御機構球では払出装置５３の上方に遊技球を整列させて導く案内通路が前後２列形成され、球払出装置の球送り回転体５３ｒは前後の案内通路に対応して前後２段のインペラ構成になっている。前列側のインペラ５３ｒ１および後列側のインペラ５３ｒ２には、それぞれ遊技球を受容する受容部が１２０度ピッチで３箇所設けられるとともに、前後のインペラは受容部の角度位置が６０度オフセットして形成されており、図１６の(ａ)図および(ｂ)図に、ある停止タイミングにおける前・後列のインペラの角度位置関係および案内通路に整列待機された遊技球の状態をそれぞれ示すように、前後のインペラが交互に受容部に遊技球を受け入れ、受容した遊技球を球送り回転体５３ｒの回動により１個ずつ案内通路側から球払出通路側に移動させて払い出す構成になっている。このため、球払出モータ５３ｍの回動角度を制御して球送り回転体５３ｒの回動角度を６０度のｎ倍（ｎ＝１，２，３…）に設定することにより、インペラが単段の場合の約半分の回転角度で、奇数、偶数を問わず任意数量の遊技球を払い出せるようになっている。また球払出モータの回動方向を時計廻り・反時計廻りに切り替えることで、例えば賞球の払出と球貸しとをモータの回動方向で分けたり、これにより払い出される球通路を異なる通路に切り分けたりすることも可能になっている。
【発明の開示】
【発明が解決しようとする課題】
【０００５】
ところで、払出制御機構では、球貯留タンクに貯留された遊技球が遊技球自身の自重によって球払出装置まで滞ることなく流下するように、球貯留タンクが上方に、球払出装置が下方に配設され、案内通路はこれらの間を繋いで大きな落差をもって形成されている。このため、遊技球と接する球払出装置の各部には、上流側に貯留された多数の遊技球の自重に基づく圧力が作用しており、球送り回転体や球送り回転体を支持する軸受部、球送り回転体を回動させる球払出モータ等には、作用する圧力の大きさに応じた強度や回転トルクを具備することが求められる。特に、貯留球が密に繋がった停止状態から球送り回転体を回動させる回転起動時には大きな起動トルクが必要であり、これを満たす高トルクモータが必要になるとともに、球送り回転体および軸受部にも回転起動時に作用する反力に抗して損傷や軸ぶれを生じさせない強度が必要とされる。
【０００６】
このため、球払出モータそのものが大型化し高額化するという問題に加えて、球送り回転体や球送り回転体を支持する軸受部、球払出モータを支持する支持部等についても同様に大型化や使用材質の高度化を招き、球払出装置全体が大型化および高額化するという問題があった。また、上記のような比較的大型の球払出装置を用いても、遊技球から強い圧力を受ける球送り回転体の各部や軸受部が長期の使用に伴って摩耗しやすく、長期間安定して作動させ得る払出制御機構が求められていた。
【０００７】
本発明は上記のような事情に鑑みて成されたものであり、比較的小型のモータを用いた球払出装置でも適正な払出作動が可能で装置の小型化および低廉化に資するとともに、長期間安定して作動させ得る払出制御機構を提供することを目的とする。
【課題を解決するための手段】
【０００８】
上記目的達成のため、本発明は、遊技盤の背面を覆って取り付けられた裏セット盤に、遊技球を貯留する球貯留タンクと、球貯留タンクよりも下方に位置して設けられ遊技盤における入賞条件に応じた所定数量の遊技球を払い出す球払出装置と、球貯留タンクと球払出装置との間を結んで設けられ球貯留タンクに貯留された遊技球を整列させて球払出装置に導く案内通路と、球払出装置から払い出された遊技球を球皿に導く球払出通路と、球払出装置の作動を制御する制御装置とを備え、球払出装置が、制御装置により回動が制御される球払出モータと、球払出モータに駆動される球送り回転体とを有し、案内通路に整列待機された遊技球を球送り回転体の回動により球払出通路側に移動させて遊技球を払い出すモータ駆動型の球払出装置である弾球遊技機の球払出制御機構に関するものである。そのうえで本発明では、案内通路に当該案内通路を流下する遊技球の圧力により回転可能に設けられた球受け回転体と、球受け回転体の回転を規制せずに遊技球の圧力による球受け回転体の回転を許容する解放状態、および球受け回転体の回転を規制して案内通路の上流側に貯留された遊技球から作用する圧力を受け止める受圧状態に変移可能に設けられた回転制御手段とを備え、制御装置が、球払出モータの回転起動に先立って回転制御手段を作動させて受圧状態にさせるように球払出制御機構を構成する。
【０００９】
この球払出制御機構では、球貯留タンクと球払出装置との間を結ぶ案内通路に、この案内通路を流下する遊技球の圧力により回転可能に球受け回転体を設けるとともに、この球受け回転体の回転を規制せずに遊技球の圧力による球受け回転体の回転を許容する解放状態と、球受け回転体の回転を規制して案内通路の上流側に貯留された遊技球から作用する圧力を受け止める受圧状態とに変移可能な回転制御手段を設けている。そして、球払出制御機構では、制御装置が球払出モータの回転起動に先立って回転制御手段を作動させ、球受け回転体を受圧状態に変移させて下流側の遊技球に作用する圧力を軽減させるように構成される。
【発明の効果】
【００１０】
上記構成によれば、球払出モータの回転起動時には、球受け回転体が受圧状態にされて上流側に貯留された遊技球から作用する圧力が受け止められ、下流側の遊技球に作用する圧力が軽減された状態で球払出モータが起動される。このため、最も大きな回転トルクが必要とされる回転起動時の起動トルクを減少させることができ、これにより、従来よりも小型のモータを用いることができるとともに、球送り回転体や軸受部等についても同様に小型化し、あるいは一般材料を用いて構成することができる。従って、比較的小型のモータを用いた球払出装置でも適正な払出作動を確保することができ装置の小型化および低廉化を実現できるとともに、負荷を軽減することで長期間安定して作動させ得る球払出制御機構を提供することができる。
【００１１】
また、案内通路に、この案内通路を流下する遊技球の圧力により回転する球受け回転体を設け、この球受け回転体の回転動を解放または規制する構成により、解放状態において遊技球の引っかかりや球詰まり等が発生しにくく、かつ案内通路を流下する遊技球の整流効果をも併せ持った球払出制御機構を提供することができる。
【発明を実施するための最良の形態】
【００１２】
以下、本発明を実施するための形態について添付図面を参照しながら説明する。本発明に係る払出制御機構を適用した弾球遊技機の一例として、図１および図２にパチンコ機の正面図および背面図を示しており、まず、これら両図を参照してパチンコ機ＰＭの全体構成について要約説明する。
【００１３】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３により前方に横開き開閉および着脱が可能に取り付けられ、正面右側に設けられた施錠装置４を利用して常には外枠１と係合連結された閉止状態に保持される。
【００１４】
前枠２の表側（前面側）上部には、ガラス扉５が前方に横開き開閉および着脱可能に取り付けられ、正面右側に設けられた施錠装置４を利用して常には前枠２の前面を覆う閉止状態に保持される。ガラス扉５の背後に位置する前枠上部には、遊技盤２０を着脱可能に収容する収容枠が設けられており、この収容枠に立設姿勢で係止保持された遊技盤２０がガラス扉５を通して視認されるようになっている。
【００１５】
遊技盤２０は、所定板厚の積層合板の表面にセルを貼り付けてルーター加工した化粧板２１を基板とし、前面側に内外の案内レール２２が円弧状に固設されて略円形の遊技領域ＰＡが区画形成される。遊技領域ＰＡには、多数本の遊技釘とともに風車や各種の入賞具２３，２４，２５、遊技の展開状況に応じた図柄を表示させる図柄表示装置２７、左右のサイドランプなどの遊技構成部品が取り付けられ、遊技領域ＰＡの下端部にアウト口２８が形成されている。化粧板２１の裏面側には、中央部に図柄表示装置２７の作動を制御する図柄表示制御装置８７が取り付けられ、その周囲には各入賞具に落入して化粧板２１の裏面側に導かれたセーフ球、およびアウト口２８を通って化粧板２１の裏面側に導かれたアウト球（これらをまとめて「遊技済み球」という）を、化粧板２１の背面に沿って裏セット盤３０の遊技済み球排出通路に導く球寄せカバー２９が取り付けられている。
【００１６】
前枠２の表側中間部には、遊技補助盤と称される補助機構部が設けられるとともに、その前方に上球皿６が前方に横開き開閉および着脱可能に取り付けられ、正面右側に設けられた球皿施錠装置を利用して常には遊技補助盤の前面を覆う閉止状態に保持される。上球皿６の下側には下球皿７が前方に突出して取り付けられ、その右側に遊技球の発射操作を行う発射ハンドル８が取り付けられている。前枠２の裏面下部には遊技球発射装置９が取り付けられており、遊技補助盤には遊技球発射装置９のハンマーに叩打された遊技球をガイドして外レールに向けて発射させる発射レール、遊技の展開状況に応じた効果音を発生させるスピーカなどが設けられている。
【００１７】
一方、前枠２の裏側（後面側）には、裏セット盤３０が前枠２の後方に横開き開閉および着脱可能に取り付けられ、常には遊技盤２０の裏面を覆う閉止状態に保持されている。裏セット盤３０は、中央部に遊技盤の図柄表示制御装置８７を受容する窓口３２を有して外枠１の内寸サイズよりも幾分小さめの方形枠状に形成された基枠体３１をベースとして構成される。
【００１８】
基枠体３１は、表裏に遊技済み球排出通路や球払出制御機構の球通路、球抜き通路等が立体的に形成された前後二層構造になっており、基枠体３１を前後に仕切る支持面の前面側に主として遊技盤２０の裏面側に排出された遊技済み球を集合させて遊技島の回収装置に導く遊技済み回収通路および球抜き通路が、支持面の後面側に主として遊技球を払い出す球払出制御機構が形成されている。
【００１９】
また基枠体３１の背面各部には、パチンコ機ＰＭの作動を統括的に制御する主制御装置８１や、遊技球の払い出し作動を制御する球払出制御装置８２、効果照明や効果音の作動制御を行うランプ・音声制御装置８３、各制御装置や電子部品に電力を供給する電源ユニット８４、遊技施設側と信号や電力の入出力を行うターミナル基板８５等の各種制御装置や回路基板、球払出装置５３等の電子部品が取り付けられ、これらが図示しないコネクタケーブルで接続されてパチンコ機ＰＭが作動可能に構成される。
【００２０】
パチンコ機ＰＭは、上球皿６およびガラス扉５が閉止施錠された状態で遊技に供され、上球皿６に遊技球を貯留させて発射ハンドル８を回動操作することにより遊技が開始される。発射ハンドル８が回動操作されると、上球皿６に貯留された遊技球が上球皿の背面に装着された球送り装置によって１球ずつ発射レールに送り出され、遊技球発射装置９のハンマーに打ち出されて遊技領域ＰＡに発射され、以降パチンコゲームが展開される。
【００２１】
さて、このように概要構成されるパチンコ機ＰＭにあって、遊技領域ＰＡに発射された遊技球が各入賞具に落入したときの遊技球の払い出し処理について、関連する各部の構成をもう少し詳しく説明する。遊技盤に設けられる入賞具には、その外観意匠や入賞時の動作を含めて種々の形態のものがあり、ゲージ設定に応じてどのような形態の入賞具を用いるものであってもよいが、例えば図１に例示した遊技盤２０では、一般入賞具２３、始動入賞具２４、アタッカー装置２５の３種類の入賞具を設けた例を示している。
【００２２】
一般入賞具２３は、遊技球が落入可能な入賞口を有する固定入賞具であり、入賞口の内部に遊技球を検出する入賞検出センサ２３ｓが取り付けられている。一般入賞具２３の後部には落入したセーフ球を化粧板２１の裏面側に導くセーフ球誘導路が設けられており、一般入賞具２３に落入したセーフ球は入賞検出センサ２３ｓに検出され、セーフ球誘導路および球寄せカバー２９を通って基枠体３１前面側の遊技済み球排出通路に受け止められ、この球排出通路を流下して遊技島の回収装置に排出される。
【００２３】
始動入賞具２４は、いわゆる電動チューリップ型の可動入賞具であり、左右のチューリップ羽根を開閉させて入賞口を拡大・縮小変化させることができる。始動入賞具２４の後部には入賞したセーフ球を化粧板２１の裏面側に導くセーフ球誘導路が設けられるとともに、この誘導路を流下する遊技球を検出する入賞検出センサ２４ｓが取り付けられており、始動入賞具２４に入賞したセーフ球が入賞球検出センサ２４ｓに検出され、セーフ球誘導路、球寄せカバー２９、遊技済み球排出通路を流下して遊技島の回収装置に排出される。
【００２４】
アタッカー装置２５は、いわゆるアタッカー型の可動入賞具であり、横長方形状の大入賞口を覆う開閉扉が開閉可能に取り付けられている。開閉扉は通常閉止されており、遊技中における所定の入賞条件の下で特別遊技状態が成立したときに、開閉扉の上部が前方にほぼ９０度倒されて大入賞口が開放される。大入賞口の内部には左右二つの領域開口が設けられて各々に入賞検出センサ２５ｓ，２５ｔが設けられるとともに、アタッカー装置２５の後側に上記二つの領域開口に繋がって化粧板２１を貫通する二つのセーフ球誘導路が設けられており、大入賞口に落入したセーフ球はいずれかの領域開口を通って入賞検出センサ２５ｓ，２５ｔに検出され、セーフ球誘導路、球寄せカバー２９、遊技済み球排出通路を流下して遊技島の回収装置に排出される。
【００２５】
入賞検出センサ２３ｓ，２４ｓ，２５ｓ，２５ｔの検出信号は主制御装置８１に出力されており、主制御装置８１は入力された検出信号に基づいてパチンコ機ＰＭの作動を制御する。例えば、始動入賞口２４に遊技球が落入し入賞検出センサ２４ｓから入賞検出信号が出力されると、主制御装置８１は入力信号から、遊技球が入賞具に落入したこと、および入賞した入賞具が始動入賞口２４であることを検知し、この入賞条件に応じた遊技プログラムを呼び出して実行する。具体的には、主制御装置内で図柄の組み合わせ抽選を行うとともに、図柄表示制御装置８７に抽選結果を出力して図柄表示装置２７に表示される図柄を変動および停止制御させ、停止図柄の組み合わせに応じた作動、例えばランプ・音声制御装置８３を介してサイドランプの点滅表示やスピーカによる効果音の発生等を行わせる。また球払出制御装置８２に入賞条件に応じた払出指令信号を出力して球払出装置５３を作動させ遊技球の払い出し作動を行わせる。
【００２６】
一方、常には遊技盤２０の背後に位置して閉止保持される裏セット盤３０に、遊技球の払い出し作動を行う球払出制御機構が設けられている。なお、遊技球の払い出しに関する主要機構部は、前後二層構造を有する基枠体３１の裏面側に設けられており、背面図を主として参照しながら説明するため、以降では図２に示す背面図における左右方向を左方または右方と称し、紙面直交方向の向こう側（パチンコ機前面側）を前方、手前側（同裏面側）を後方と称して説明する。また遊技球を球払出装置に導く案内通路等の基本構成および球払出装置の作動は、背景技術の項で参照した図１５および図１６に示す構成および作動と略同様であるため、これらの図面を併せて参照しながら説明する。
【００２７】
球払出制御機構は、基枠体３１の左上部に取り付けられて遊技球を貯留する球貯留タンク４１、基枠体３１における窓口右側の枠杆部（右枠杆という）３３の下部に取り付けられて遊技球の払出を行う球払出装置５３、球貯留タンク４１と球払出装置５３との間を結んで設けられ球貯留タンク４１に貯留された遊技球を整列させて球払出装置５３に導く案内通路、球払出装置５３の下方に設けられて球払出装置から払い出された遊技球を上下の球皿６，７に導く球払出通路６０、基枠体３１の背面下部に取り付けられて球払出装置５３の作動を制御する球払出制御装置８２、および案内通路に設けられて球払出装置５３に作用する遊技球の圧力を調圧する受圧制御ユニット１００などから構成される。なお受圧制御ユニット１００の構成および制御形態については、遊技球の払い出し機構の構成を説明した後に詳細に説明する。
【００２８】
球貯留タンク４１は、上面開放の箱状体をなし、タンク内部に500〜800個程度の遊技球を貯留可能になっている。球貯留タンク４１の底面は緩く左傾および前傾して形成され左前方には上下連通する開口部が形成されて下方の案内通路に繋がっている。球貯留タンク４１と球払出装置５３との間を結ぶ案内通路は、球貯留タンク４１から供給された遊技球を流下させる過程で整列させる整列通路と、整列通路で整列された遊技球を受けて下方の球払出装置５３に導く待機通路とからなり、整列通路は球貯留タンク４１の直下に取り付けられたタンクレール４２内に、待機通路は右枠杆３３に取り付けられたＳ字レール５２の前後に形成される。
【００２９】
タンクレール４２は、窓口３２上方の基枠体３１にねじ止めされた取付姿勢で基枠体３１の支持面とタンクレールの後方壁面とに囲まれた樋状体をなし、底面に立設されたリブ状の仕切壁４２ｗにより樋内に前後二列の整列通路４２ａ，４２ｂが形成される（図１５では後方の整列通路４２ｂのみが現れている）。タンクレール４２は左上方の球貯留タンク４１側から右下方の待機通路側に向けて約４度の傾斜角で取り付けられるとともに、通路中間部には上下方向に積み重なった遊技球を平らに均す球均し具４４が垂設されており、球貯留タンク４１から供給された遊技球が傾斜下流に向けて流下する過程で前後二列の整列通路４２ａ，４２ｂに整列されるようになっている。タンクレール４２の傾斜端部すなわち整列通路４２ａ，４２ｂの終端部は下方に滑らかに折り曲げられ、下端に開口する偏向出口４３で待機通路と繋がっている。
【００３０】
右枠杆３３には、偏向出口４３から送り出された遊技球を受けて待機通路５２ａ，５２ｂに整列状態で待機させるＳ字レール５２と、このＳ字レール５２の下側に取り付けられて待機通路に待機された遊技球を所定の払出条件に基づいて払い出す球払出装置５３、および右枠杆３３に支持されたＳ字レール５２の後方を覆って取り付けられＳ字レール５２の前後面に上記二列の待機通路を形成させる蓋部材５８などが取り付けられる。また、偏向出口４３とＳ字レール５２との間には、遊技球の払い出しを行い得る充分な遊技球が待機通路５２ａ，５２ｂに保持されているか否かを検出するための球有検出センサ５１が着脱可能に取り付けられ、球払出装置５３の払出口と球払出通路６０との間には、払い出された遊技球を検出してその実数を計数するための球計数センサ５４，５４が係脱可能に設けられている。
【００３１】
Ｓ字レール５２は、中間に形成された仕切壁とこの仕切壁を挟む前後面に遊技球の球径よりも幾分大きめの間隔をおいて左右平行に立設された通路壁とを有し、仕切壁の前後に通路壁で囲まれた凹状の通路溝が形成されている。前後の通路溝は図１５に示すように屈曲して形成されており、上流側に位置する遊技球の自重による球圧が下流側で加重されて過大な圧力にならないようになっている。Ｓ字レール５２は通路溝の清掃容易化等のため基枠体３１と別体に構成されており、右枠杆３３に立設された二カ所の支持ボス３５に嵌挿して位置決め支持させ、後方から蓋部材５８をねじ固定することにより右枠杆３３に固定される。
【００３２】
そしてこのようにＳ字レール５２が右枠杆３３に固定されると、前後の通路溝の開放部が前方の右枠杆３３の支持面と後方の蓋部材５８とに覆われて前後二列の待機通路５２ａ，５２ｂが形成される（整列通路と同様に図１５では後方の待機通路５２ｂのみが現れている）。Ｓ字レール５２における上方の通路壁の一部は切り欠かれており、常にはこの切り欠き部に相当する通路壁が形成された流路切り替え部材５５により閉鎖されている。Ｓ字レール５２の下端部は球払出装置５３の受容口と位置整合して形成され、偏向出口４３から導入された遊技球を前後二列の整列状態で球払出装置５３に導くとともに、球払出装置の停止時に遊技球を待機通路５２ａ，５２ｂに整列状態で待機させる。
【００３３】
球払出装置５３は、上部中央に待機通路５２ａ，５２ｂと連絡して遊技球を受容する前後の受容口５３ａ，５３ｂ、下部に遊技球を払い出す左右の払出口５３ｃ，５３ｄが形成されるとともに、ケース内部には前後二段のインペラを有する球送り回転体５３ｒと、球送り回転体を回転させる球払出モータ５３ｍとが設けられている。
【００３４】
球送り回転体５３ｒの前列側のインペラ５３ｒ１および後列側のインペラ５３ｒ２には、それぞれ遊技球を受容するＵ溝状の受容部が１２０度間隔で三カ所設けられるとともに、前後のインペラはそれぞれ受容部の角度位置が６０度オフセットして形成されている。このため、前後の受容口５３ａ，５３ｂから供給された遊技球は、球送り回転体５３ｒの回動に伴ってそれぞれ各列のインペラ５３ｒ１，５３ｒ２の受容部に交互に受け入れられ、受容部の回動により右または左のカセット内通路に１個ずつ移動され左右いずれかの払出口５３ｃ，５３ｄから球払出通路６０に払い出される。
【００３５】
球払出制御装置８２には、主制御装置８１から遊技盤２０における入賞条件に応じた払出指令信号が入力されており、球払出制御装置８２は主制御装置８１から入力された払出指令信号に応じたモータ駆動信号を球払出装置５３に出力し、球払出装置５３は入力されたモータ駆動信号に基づいて球払出モータ５３ｍを作動させ、球送り回転体５３ｒを時計回りまたは反時計回りに所要の回転角度分だけ回転させて、モータ駆動信号に対応する数量の遊技球を右または左の払出口５３ｄ，５３ｃから球払出通路６０に払い出す。
【００３６】
また、プリペイドカードユニット９０が接続されたいわゆるＣＲ機では、上球皿６の前面側に球貸要求ボタンを有するＣＲ操作パネル９２が設けられてその出力信号が球払出制御装置８２に入力されており、球払出制御装置８２は、ＣＲ操作パネル９２から入力された球貸要求信号に応じたモータ駆動信号を球払出装置５３に出力し、球払出装置５３は入力されたモータ駆動信号に基づいて球払出モータ５３ｍを作動させ、球送り回転体５３ｒを反時計回りまたは時計回りに所要の回転角度分だけ回転させ、モータ駆動信号に対応する数量の遊技球を左または右の払出口５３ｃ，５３ｄから球払出通路６０に払い出す。
【００３７】
球払出口５３ｃ，５３ｄから払い出された遊技球は、球計数センサ５４，５４により通過が検出され、球払出制御装置８２は球計数センサから入力された検出信号から払い出された遊技球の数量をカウントしてモータ駆動信号に係る目標数量と比較し、球払出装置５３の作動を制御する。これにより、主制御装置８１から入力される払出指令信号やＣＲ操作パネル９２から入力される球貸要求信号に応じた数量の遊技球が球払出通路６０に払い出され、球払出通路６０を転動流下して上球皿６または下球皿７に払い出される。
【００３８】
なお、待機通路の上部に設けられた球有検出センサ５１は、この球有検出センサが配設された上部位置まで遊技球が整列待機されているか否かを検出することで、遊技球の払い出しを不足なく行い得る数量（例えば３５球程度）の遊技球が保持されているか否かを判定するためのセンサであり、その検出信号が球払出制御装置８２に出力されている。球払出制御装置８２は球有検出センサ５１から入力された検出信号が球無し状態であるときに、球払出装置５３の作動を規制し所定のアラームを発生させる。
【００３９】
また、待機通路の上部には球抜き機構が設けられている。球抜き機構は、右枠杆３３の裏面側に基枠体３１の支持面と平行な面内に揺動可能に枢支されて待機通路５２ａ，５２ｂの一部を開閉可能な流路切り替え部材５５、右枠杆３３の前面側に基枠体３１の支持面と直交方向に揺動可能に取り付けられた操作部材５６、および待機通路を開放したときに溢れ出る遊技球を遊技島の回収装置に導く球抜き通路５７などから構成される。
【００４０】
流路切り替え部材５５には、下部にＳ字レールの切り欠き部に相当する壁面形状を有する通路壁５５ａ、中間部には右枠杆３３の裏面側に突出成型された枢支軸３６と嵌脱自在な支軸孔５５ｂ、上部には通路壁５５ａが切り欠き部を塞ぐ閉止角度位置で操作部材の係合突起５６ｃと係合し得る閉止保持係合孔５５ｃ、および通路壁５５ａを上方に揺動させて切り欠き部を開放させた開放角度位置で操作部材の係合突起５６ｃと係合し得る開放保持係合辺５５ｄがそれぞれ形成されている。
【００４１】
一方、操作部材５６は、上方の操作レバー部５６ｂを前方から後方に押圧したときに、下方の係合突起５６ｃが右枠杆３３の支持面から前方に揺動待避して、流路切り替え部材の閉止保持係合孔５５ｃまたは開放保持係合辺５５ｄとの係合を解除し、操作レバー部５６ｂへの押圧力を解放したときに係合突起５６ｃが前方に突出して閉止保持係合孔５５ｃまたは開放保持係合辺５５ｄと係合し、流路切り替え部材５５を上記閉止角度位置または開放角度位置に係止保持するように構成されている。
【００４２】
また球抜き通路５７は、Ｓ字レール５２の右側方に位置して基枠体３１の裏面側に形成された予備通路５７ａと、予備通路５７ａの下方に右枠杆３３の支持面を貫通して形成された連絡開口５７ｂ、および基枠体３１の前面側に連絡開口５７ｂから下方に向かって形成され前述した遊技済み球排出通路に繋がる下降通路などからなり、待機通路５２ａ，５２ｂが開放されてＳ字レールの切り欠き部から遊技球が溢れ出たときに、溢れ出た遊技球を遊技済み球排出通路を介して遊技島の回収装置に流下させるように構成されている。
【００４３】
このため、待機通路が閉止された通常の遊技状態（図１５に示す状態）では、操作部材の係合突起５６ｃが流路切り替え部材の閉止保持係合孔５５ｃと係合して流路切り替え部材５５を閉止角度位置に係止し、通路壁５５ａがＳ字レール５２の切り欠き部を塞いで左右に蛇行する前後二列の待機通路５２ａ，５２ｂが閉止状態に保持される。
【００４４】
一方、操作レバー部５６ｂが前方から後方に押圧操作されると（あるいは裏セット盤３０の後方から手前に引っぱり操作されると）、係合突起５６ｃが前方に揺動待避して閉止保持係合孔５５ｃとの係合が解除され流路切り替え部材５５の揺動規制が解除される。すると、流路切り替え部材５５は上流側に位置する遊技球から通路壁５５ａに作用する圧力によって枢支軸３６を中心に反時計まわりに揺動され、待機通路の上部を開放する開放角度位置に変位する。切り欠き部から溢れ出た遊技球は球抜き通路５７を流下し遊技済み球排出通路を通って遊技島の回収装置に排出される。
【００４５】
流路切り替え部材５５が開放角度位置に揺動変位した状態では、開放保持係合辺５５ｄが係合突起５６ｃの前方に位置しており、この状態で操作レバー部５６ｂの押圧力を解放すると係合突起５６ｃが開放保持係合辺５５ｄの右側方に突出して時計回りの揺動を規制し、流路切り替え部材５５を開放角度位置に係止保持する。このため、操作レバー部５６ｂを常時押圧していなくても一操作で流路切り替え部材を開放角度位置に係止させることができ、Ｓ字レール５２の切り欠き部よりも上流側に貯留された遊技球の球抜きを行うことができる。
【００４６】
球抜きにより待機通路の上部に遊技球がなくなった状態で操作レバー部５６ｂを後方に押圧し係合突起５６ｃと開放保持係合辺５５ｄとの係合を解除すると、遊技球からの圧力がなくなった流路切り替え部材５５は自重に基づくモーメントにより枢支軸３６を中心として時計まわりに揺動し、通路壁５５ａが切り欠き部を覆う閉止角度位置に変位する。そこで操作レバー部５６ｂへの押圧力を解放すると係合突起５６ｃが前方に突出して閉止保持係合孔５５ｃと係合し、流路切り替え部材５５が球抜き前と同様の閉止角度位置に復帰された状態で係止保持される。
【００４７】
なお、前枠２およびガラス扉５には、裏セット盤３０を前枠２に閉鎖保持させた状態で操作レバー部５６ｂの前方に対峙する位置に、ハートキーと称される保守作業用の操作ピン（図４〜図６に付記するハートキー１４５を参照）を挿通させる球抜き操作孔５ｈが形成されており、遊技施設の係員がパチンコ機ＰＭの前面側から球抜き操作孔５ｈにハートキー１４５を挿入して操作レバー部５６ｂを押圧操作することにより、前枠２を開放することなくパチンコ機の前面側から球抜き操作および球抜き後の復帰操作を行えるようになっている。
【００４８】
さて、以上のように構成される払い出し機構における整列通路４２ａ，４２ｂの終端近傍に受圧制御ユニットが設けられて球払出制御機構が構成される。以下図３〜図１１の各図を参照して第１実施形態の球払出制御機構について詳細に説明する。なお、図３は本実施形態の球払出制御機構における受圧制御ユニット１００の背面図、図４は受圧制御ユニット１００の平面図、図５は図３中のV〜矢視方向に見た側断面図、図６は受圧制御ユニット１００を斜め前方から見た分解斜視図である。また図７は球払出制御機構の制御形態を主として示すブロック図、図８は球払出制御機構におけるソレノイドと球払出モータの駆動タイミングを示すタイミングチャート、図９は受圧状態における受圧制御ユニット１００の背面図、図１０は受圧状態における球受け回転体の規制状況を示す背面図であってこのうち (ａ)図は前列側の球受け回転体(ｂ)図は後列側の球受け回転体の規制状況を示す背面図、図１１は球受け回転体を球止め状態にしたときの受圧制御ユニット１００の背面図である。
【００４９】
受圧制御ユニット１００は、大別的には、前後二列の整列通路４２ａ，４２ｂの上方に、各列を流下する遊技球の圧力により回転可能に設けられた前後の球受け回転体１２０ａ，１２０ｂと、これらの球受け回転体１２０（１２０ａ，１２０ｂ）の回転を規制せずに遊技球の圧力による球受け回転体１２０の回転を許容する解放状態Ｐｆ、および前後の球受け回転体１２０の回転をともに規制して案内通路の上流側に貯留された遊技球から作用する圧力を受け止める受圧状態Ｐｒに変移可能に設けられた回転制御機構１３０と、前後の球受け回転体１２０を球止め状態Ｐｓに係止させる球止め構造１４０などから構成される。
【００５０】
球受け回転体１２０ａ，１２０ｂは、回転盤の外周面に、遊技球の球半径より幾分大きめの受容半径を有する円弧状の球受け溝１２０ｕが、連接する遊技球の配設ピッチに合わせた所定角度ピッチで複数形成されるとともに、隣接する球受け溝１２０ｕ，１２０ｕの間に外周方向に突出する山形の受圧爪１２０ｔが形成された爪車形態をなし、基本的には同一形状の球受け回転体が前後二列の整列通路に対応して２個用いられる。各球受け回転体１２０ａ，１２０ｂの中心部には円筒状のボスが形成され、その中心に支軸１２５の軸径よりもわずかに大きめの内径を有する軸孔が前後貫通して形成されている。またボスの外周側には、ハートキー１４５の線径よりも幾分大きめの溝幅を有する円弧状長孔形態の係止溝１４２が、軸孔を中心とする同心円上に前後貫通して複数形成されている。球受け回転体１２０ａ，１２０ｂは、例えば超高分子ポリエチレンやポリアセタール樹脂などの低摩擦係数の樹脂材料を用い、射出成型等の成形手段により各一体に形成される。
【００５１】
球受け回転体１２０は、前後の球受け回転体１２０ａ，１２０ｂの配設ピッチを整列通路４２ａ，４２ｂの列間ピッチと整合させるためのスペーサーカラー１２３を挟んで支軸１２５の前後に嵌挿され、各球受け回転体１２０ａ，１２０ｂが各々独立して回転可能に枢支されるようになっている。なお、球受け回転体１２０を含む受圧制御ユニットの組み付けについては後述する。
【００５２】
回転制御機構１３０は、ソレノイド駆動信号がONになったときにプッシュロッドを突出作動させるソレノイド１３１、およびプッシュロッドの先端部に嵌着された回転規制具１３２を主体として構成され、ソレノイド支持ブラケット１１５を介して整列通路上方の基枠体３１に取り付けられる。
【００５３】
ソレノイド１３１は、金属製のケース１３１ａと、ケース内に収められた駆動コイル１３１ｂ、駆動コイルの空芯部にスライド変位可能に支持されたプランジャ１３１ｃ、プランジャ１３１ｃの外周部に装着されたリターンスプリング１３１ｄ、空芯部内でプランジャの基端部に固着されケース１３１ａから下方に突出してスライド変位可能に支持されたプッシュロッド１３１ｅなどからなり、駆動コイル１３１ｂにソレノイド駆動信号を印加したときにプランジャ１３１ｃが吸引されてプッシュロッド１３１ｅが下方に突出作動され、ソレノイド駆動信号をOFFにしたときにリターンスプリング１３１ｄのバネ力によりプランジャ１３１ｃが引き上げられてプッシュロッド１３１ｅが基準位置に戻るスプリングリターン式の直動型電磁ソレノイドである。駆動コイル１３１ｂの信号線は球払出制御装置８２に接続され、ソレノイド１３１は球払出制御装置８２によって作動が制御される。プッシュロッド１３１ｅの先端部には円盤状の軸端フランジ１３１ｆが固着され、ケース１３１ａの上面にはソレノイド１３１を取り付けるための雌ネジ部１３１ｓが二カ所形成されている。
【００５４】
回転規制具１３２は、前後の球受け回転体１２０ａ，１２０ｂの受圧爪１２０ｔの配設範囲に合わせた前後方向幅で、球受け回転体の回転角度位置の如何に拘わらず受圧爪１２０ｔと係合し得る上下方向高さを有するブロック状に形成される。回転規制具１３２の前面側には、前後方向に延び溝底部に向けて溝幅が狭くなる台形溝状の爪受容溝１３２ｔが上下に並んで複数列形成されており、受圧爪１２０ｔの先端稜部を爪の高さ位置に応じたいずれかの溝内に受容し、上下のテーパ状の溝面に挟み込んで係合可能になっている。
【００５５】
回転規制具１３２の背面側には、プッシュロッド先端の軸端フランジ１３１ｆを受容して係止する係止スリット１３２ｆが設けられている。係止スリット１３２ｆは回転規制具１３２の下面側から軸端フランジ１３１ｆを受容するように形成されており（図１０を参照）、後述する受圧状態Ｐｒにしたときに遊技球の球圧により回転規制具１３２が外れないように構成されている。回転規制具１３２は、例えばポリウレタンやイソプレンゴム等のような耐摩耗性と反発弾性を備えた高分子材料を型締めおよび加硫処理して成型され、係止スリット１３２ｆに軸端フランジ１３１ｆを係合させて圧入することでプッシュロッド１３１ｅの下端部に固定される。
【００５６】
ソレノイド支持ブラケット１１５は、図６に示すように、ソレノイドのケース１３１ａの上下および後方を囲むコの字状の支持枠１１５ａと、支持枠の上下には基枠体３１にネジ固定するためのフランジ部１１５ｂが形成され、下部には後方に延びる放物面上の整列補助壁１１２が一体に形成されている。支持枠１１５ａの上面には、ケース１３１ａに形成された雌ネジ部１３１ｓと位置整合してネジ１３８を挿通させるネジ挿通孔１１５ｓが二カ所形成されている。また、上下の各フランジ部１１５ｂにはソレノイド支持ブラケット１１５を基枠体３１に固定するブラケット固定ネジ１１８を挿通させる固定ネジ挿通孔１１５ｈが形成され、整列通路４２ａ，４２ｂの上方に位置する基枠体３１の支持面には、ブラケット固定ネジ１１８を受容して螺着するネジ受容ボス１１９が形成されている。
【００５７】
パチンコ機ＰＭの組み立て工程にあって、回転制御機構１３０は、ソレノイドのケース１３１ａをソレノイド支持ブラケットの支持枠１１５ａに収容して雌ネジ部１３１ｓとネジ挿通孔１１５ｓとを位置合わせし、ネジ挿通孔１１５ｓの上方からネジ１３８を通して雌ネジ部１３１ｓに螺合締結することで、ソレノイド１３１、回転規制具１３２およびソレノイド支持ブラケット１１５が一体に部分組立され、ソレノイド支持ブラケットの各固定ネジ挿通孔１１５ｈを基枠体３１のネジ受容ボス１１９に位置合わせしてブラケット固定ネジ１１８をネジ受容ボス１１９に螺合締結することで、基枠体３１の所定位置に取り付けられる。そして、ソレノイド支持ブラケット１１５の後方を覆うようにタンクレール４２を配設し各部をネジ固定することで、回転制御機構１３０の下方に整列通路４２ａ，４２ｂが形成される。
【００５８】
なお、ソレノイド１３１は、ソレノイドを固定するネジ１３８を緩めて左斜め上方に引き抜くことにより、タンクレール４２やソレノイド固定部ラケット１１５を取り外すことなく脱着できるようになっており、パチンコ機ＰＭが遊技施設に設置された後の点検作業や交換作業等を容易に行い得る構成になっている。
【００５９】
整列通路４２ａ，４２ｂの終端近傍部には、基枠体３１の支持面に枠側支軸部１１１ａが設けられ、その中心には整列通路側に開口して支軸１２５先端のネジ部を受容するネジ受容穴が形成されている。また基枠体３１の支持面と対峙して取り付けられたタンクレールの後方壁面の上部には、枠側支軸部１１１ａのネジ受容穴と整合する対向位置に支軸１２５を挿通させるザグリ孔形態のレール側支軸部１１１ｂが設けられている。
【００６０】
そこで、前述した前後の球受け回転体１２０のうち、まず後列側の球受け回転体１２０ｂをレール側支軸部１１１ｂの前方に位置合わせしてレール側支軸部１１１ｂの後方から支軸１２５を球受け回転体の軸孔に挿通して支持させ、次いでスペーサーカラー１２３および前列側の球受け回転体１２０ａを挿通支持させて、支軸１２５の前端部を枠側支軸部１１１ａのネジ受容穴に螺合締結する。これにより、前後の球受け回転体１２０ａ，１２０ｂが前後の整列通路４２ａ，４２ｂの通路中心と合致した前後方向位置、および遊技球の球径に適合した高さ位置に各々独立して回転可能に設けられ、常には回転規制具１３２と離れた状態で回転自在に配設される。
【００６１】
また整列通路４２ａ，４２ｂの上方には、球受け回転体１２０の上流側に整列補助壁１１２、下流側に上動規制壁１１３が球受け回転体１２０を挟むように位置している。整列補助壁１１２は、ソレノイド支持ブラケット１１５の取付姿勢において上流側から下流側に向けて通路高さが徐々に低くなる放物面状に形成されており、球均し具４４の下側を通ってもなお上下に重なって流下してくる遊技球を平らに均し、前後各一列の整列状態で球受け回転体１２０側に流入させるように機能する。また上動規制壁１１３は、偏向出口４３の上方〜外方を覆う滑らかな円弧状に形成されており、偏向出口４３近傍に位置する遊技球が上流側からの圧力によって盛り上がったり溢れ出たりしないように機能する。
【００６２】
このため、球受け回転体１２０の上部に遊技球が当接して上流側からの圧力を球受け回転体に作用させたり、複数の遊技球が隣接する複数の球受け溝１２０ｕに係合して球受け回転体の自由な回転を阻害したりするようなことがなく、整列通路４２ａ，４２ｂを流下する遊技球が確実に前後各一列に整列され、球受け回転体の球受け溝１２０ｕに１球ずつ受け入れられる。球受け回転体１２０は、球受け溝１２０ｕに受容された状態で流下する遊技球により、下流側の受圧爪１２０ｔが右方（下流側）に押圧され、遊技球の流下に伴って反時計廻りに回転される。そして、この球受け回転体の反時計廻りの回転により次の１球が隣接する球受け溝に受容され、以降順次これを繰り返して遊技球が１球ずつ送り出される。このように球受け回転体１２０は遊技球の流れを整える整流効果を併せもっている。
【００６３】
こうして球受け回転体１２０および回転制御機構１３０が組み付けられ、整列通路の終端部に受圧制御ユニット１００が形成される。そして、ソレノイド１３１の信号線を球払出制御装置８２に接続することで球払出制御機構が形成され、受圧制御ユニット１００の作動が球払出制御装置８２によって制御される。
【００６４】
受圧制御ユニット１００の取付状態、すなわちソレノイド駆動信号がOFFの状態では、プランジャ１３１ｃの外周に装着されたリターンスプリング１３１ｄの付勢力によりプッシュロッド１３１ｅがケース内に引き込まれ、回転規制具１３２が球受け回転体１２０から離れた状態に配設される（図３を参照）。このため、前後の球受け回転体１２０ａ，１２０ｂは回転規制具１３２から何らの規制力を受けることなく各々自由に回転し得る解放状態とされ、整列通路４２ａ，４２ｂを流下する遊技球は、各球受け回転体１２０ａ，１２０ｂをそれぞれ反時計廻りに回転させながら偏向出口４３に向けてそのまま流下する。
【００６５】
従って、図３〜図６に示す解放状態Ｐｆでは、上流側に貯留された遊技球から作用する圧力が下流側に停留する遊技球に伝達され、整列通路を流下する遊技球は規制を受けずにそのまま流下する。球払出制御機構では、遊技球の払い出しが開始される以前においては、球受け回転体１２０の回転を規制することなく、整列通路を流下する遊技球の圧力により球受け回転体１２０が回転することを許容する解放状態Ｐｆに設定されている。
【００６６】
一方、球払出制御機構では遊技球の払い出しが開始されるときに、球払出モータ５３ｍの回転起動に先立って回転制御機構１３０を作動させ、球受け回転体１２０の回転を規制する。以下では、図７に示した球払出制御機構における制御構成のブロック図、および図８に示したソレノイド１３１と球払出モータ５３ｍのタイミングチャートを参照しながら球払出制御機構の動作を中心に説明する。なお図８における(ａ)(ｂ)(ｃ)の各図は遊技盤２０における入賞条件やＣＲ操作パネル９２の球貸要求ボタンによる球貸しなど、払出条件が相違する場合の制御タイミングを例示したものである。
【００６７】
主制御装置８１には、各入賞具の入賞検出センサ２３ｓ，２４ｓ，２５ｓ，２５ｔから検出信号が入力されており、主制御装置８１は各入賞検出センサから入賞検出信号が入力されたときに、当該入賞検出信号から入賞条件を判断し入賞条件に基づいた払出指令信号を球払出制御装置８２に出力する。例えば、入賞検出信号が一般入賞具２３の入賞検出センサ２３ｓまたは始動入賞具２４の入賞検出センサ２４ｓから入力されたときには、主制御装置８１は、これらの入賞具２３，２４に入賞したときの払出数量が少数個（例えば４個あるいは８個）に該当することを内部メモリーに設定記憶されたテーブルから判断し、当該少数個に対応した払出指令信号Ｃ１を球払出制御装置８２に出力する。また入賞検出信号がアタッカー装置２５の入賞検出センサ２５ｓ，２５ｔから入力されたときには、主制御装置８１は大入賞口に入賞したときの払出数量が多数個（例えば１５個）に該当することを同様に判断し、多数個に対応した払出指令信号Ｃ２を球払出制御装置８２に出力する。
【００６８】
球払出制御装置８２には、主制御装置８１から入力される上記払出指令信号Ｃ１，Ｃ２に加えて、ＣＲ操作パネル９２から球貸要求信号Ｃ３が入力されている。球貸しは一般に２５個を単位として行われており、球貸要求信号はこの２５個の払い出しを要求する信号である。
【００６９】
球払出制御装置８２にこれらの信号が入力されると、球払出制御装置８２は、まず球有検出センサ５１の検出信号を参照し、払い出しを行うのに充分な数量の遊技球が待機通路の上部まで貯留待機されているか否かを判断する。そして検出信号が球無し状態であるとき（例えば球有検出センサ５１の接点がオープンのとき）には主制御装置８１に球切れ信号を出力し、主制御装置８１はパチンコ機前面の球切れ表示ランプを点灯させ、またターミナル基板８５を介して遊技施設側の管理装置に球切れ信号を出力するなどのアラームを発生する。
【００７０】
一方、球有検出センサ５１の検出信号が球有り状態であるとき（同様に球有検出センサ５１の接点がクローズのとき）には、受圧制御ユニット１００および球払出装置５３にそれぞれ駆動信号を出力して遊技球の払い出しを行わせる。
【００７１】
ところで、球払出制御装置８２に入力された払出指令信号Ｃ１，Ｃ２および球貸要求信号Ｃ３は、それぞれ異なる個数の払い出しを求める信号である。そこで球払出制御装置８２は入力された払出指令信号等Ｃ１，Ｃ２，Ｃ３から、払い出すべき数量（払出条件）に応じたモータ駆動信号Ｍ１，Ｍ２，Ｍ３を生成し、球払出装置５３の球払出モータ５３ｍに出力する。また球払出制御装置８２は、受圧制御ユニット１００のソレノイド１３１を駆動するソレノイド駆動信号Ｓ１，Ｓ２，Ｓ３を生成し、ソレノイド１３１に出力する。
【００７２】
図８(１)(２)(３)に、それぞれ球払出数量が少数個(１)、多数個(２)、球貸し(３)で、それぞれ複数回連続動作させたとき（複数の払出指令信号等が蓄積されて連続払出状態のとき）のモータ駆動信号Ｍ１，Ｍ２，Ｍ３と、ソレノイド駆動信号Ｓ１，Ｓ２，Ｓ３との関係をタイミングチャートで示すように、ソレノイド駆動信号Ｓ（Ｓ１，Ｓ２，Ｓ３）はモータ駆動信号Ｍ（Ｍ１，Ｍ２，Ｍ３）と同期して、モータ駆動信号Ｍが出力される直前（換言すれば球払出モータ５３ｍの回転起動前）にONになり、モータ駆動信号Ｍが出力されて所定時間経過後（球払出モータ５３ｍの回転起動後）にOFFになるパルス状の駆動信号である。
【００７３】
すなわちソレノイド駆動信号ＳがONされる時点では、球払出モータ５３ｍは未だ回動しておらず、整列通路４２ａ，４２ｂおよび待機通路５２ａ，５２ｂには、遊技球が前後二列に整列されて上流の球貯留タンク４１から下流の球払出装置５３まで密に繋がった状態で貯留されている。
【００７４】
ソレノイド駆動信号ＳがONになると、ソレノイド１３１のプランジャ１３１ｃがリターンスプリング１３１ｄのバネ力に抗してケース内に引き込まれ、プッシュロッド１３１ｅがケースから突出されて、プッシュロッド先端の回転規制具１３２が球受け回転体１２０の外周部に押し付けられる（図９を参照）。ここで、回転規制具１３２は、その前後方向幅が前後の球受け回転体の受圧爪１２０ｔの配設範囲に合わせて形成されるとともに、球受け回転体１２０の回転角度位置の如何に拘わらず何れかの受圧爪１２０ｔと係合し得る上下方向高さを有して形成されている。そして回転規制具１３２の前面側には、底部に向けて溝幅が狭くなる台形溝状の爪受容溝１３２ｔが上下に並んで複数列形成され、受圧爪１２０ｔの先端稜部を上下のテーパ状の溝面で滑らかに係合するとともに、上下の溝面間に挟み込んで確実に係止可能になっている。
【００７５】
このため、ソレノイド１３１のON作動によりプッシュロッド１３１ｅがケースから突出され、回転規制具１３２が球受け回転体１２０の外周部に押圧されると、前後各列の受圧爪１２０ｔ，１２０ｔの先端稜部が、その回転角度位置に応じた高さ位置の爪受容溝１３２ｔ，１３２ｔに滑らかに導かれて係合し、上下のテーパ状の溝面間に挟み込まれて係止される。例えば、図１０の(ａ)図と (ｂ)図とに、あるタイミングで係止された前列側の球受け回転体１２０ａと後列側の球受け回転体１２０ｂとを例示するように、前後の球受け回転体１２０ａ，１２０ｂは、それぞれの受圧爪１２０ｔ，１２０ｔの回転角度位置に応じた何れかの高さ位置の爪受容溝１３２ｔ，１３２ｔと係合し、その爪受容溝の溝面間に挟み込まれて係止される。
【００７６】
従って、球払出装置５３における球送り回転体５３ｒのインペラ構成により、前列側の整列通路４２ａと後列側の整列通路４２ｂとで遊技球の位置がずれて整列されていても、あるいは待機通路５２ａ，５２ｂに停留された遊技球の整列状態の差異により遊技球の上下流方向の位置が変化したとしても、前後の球受け回転体１２０ａ，１２０ｂをともに確実に係止可能になっている。
【００７７】
このようにして前後の球受け回転体１２０ａ，１２０ｂが当該回転角度位置で回転規制されると、そのとき球受け溝１２０ｕ，１２０ｕに受容されていた遊技球は、当該球受け溝の下流側の受圧爪１２０ｔ，１２０ｔに流下を規制され、整列通路４２ａ，４２ｂの上流側に貯留された遊技球から作用する圧力が各列の球受け回転体１２０ａ，１２０ｂに受け止められた状態で係止される。このように、上流側に貯留された遊技球から作用する圧力を球受け回転体１２０が受け止めた状態を受圧状態Ｐｒという。
【００７８】
球受け回転体１２０が受圧状態Ｐｒになると、球受け回転体１２０よりも下流側に整列待機された遊技球に作用する圧力がその分軽減され、球払出モータ５３ｍにはこのように圧力が軽減された状態でモータ駆動信号Ｍ（Ｍ１，Ｍ２，Ｍ３）が出力される。
【００７９】
モータ駆動信号Ｍ１，Ｍ２，Ｍ３は、払い出し数量に相当する回転角度分、球送り回転体５３ｒを時計回りまたは反時計回りに回動させる信号であり、例えば少数個の払出指令信号Ｃ１が４個の場合には球払出モータを２４０度、８個の場合には４８０度、時計回りに回動させるモータ駆動信号Ｍ１を出力して球送り回転体５３ｒを回動させ、右側の払出口５３ｄから球払出通路６０に払い出す。多数個の払出信号の場合も同様であり、１５個の払出指令信号Ｃ２に対して球払出モータを９００度（２．５回転）時計回りに回動させるモータ駆動信号Ｍ２を出力して球送り回転体５３ｒを回動させ、右側の払出口５３ｄから球払出通路６０に払い出す。また球貸要求信号Ｃ３（２５個）の場合には、球払出モータを１５００度（４回転と６０度）反時計回りに回動させるモータ駆動信号Ｍ３を出力して球送り回転体５３ｒを回動させ、左側の払出口５３ｃから球払出通路６０に払い出す。
【００８０】
モータ駆動信号Ｍが出力されて所定時間（例えば５０〜２００ms程度の時間）が経過すると、球払出制御装置８２はソレノイド駆動信号ＳをOFFにする。ソレノイド駆動信号がOFFになると、リターンスプリング１３１ｄに蓄えられたバネ力によりプッシュロッド１３１ｅが引き込まれて回転規制具１３２が左動し、回転規制具１３２と球受け回転体１２０ａ，１２０ｂとの係合（各爪受容溝１３２ｔと受圧爪１２０ｔとの係合）が解除される。
【００８１】
これにより、前後の球受け回転体１２０ａ，１２０ｂは回転規制が解除されて初期の開放状態Ｐｆに戻り、それまで受圧爪１２０ｔ，１２０ｔに押しとどめられていた遊技球が球受け回転体１２０ａ，１２０ｂを回転させながら整列通路４２ａ，４２ｂを流下する。そして球払い出しが開始されて先に下動する遊技球に追いつき、とぎれることなく滑らかに払い出される。球受け回転体１２０の配設位置、およびソレノイド駆動信号ＳをOFFするまでの上記所定時間は、球払出モータ５３ｍの回転起動により先に下動する遊技球全体が球有検出センサ５１を通過する以前に後続の遊技球が追いついて連接状態になるように設定され、あるいは球無し状態のアラームにならないようにプログラム上の処理が施される。
【００８２】
こうして球払出口５３ｃ，５３ｄから払い出された遊技球は、左右の球計数センサ５４，５４により通過が検出され、球払出制御装置８２は球計数センサ５４から入力された検出信号から払い出された遊技球の実数をカウントしてモータ駆動信号Ｍに係る目標数量と比較し、球払出モータ５３ｍの作動を制御する。これにより、遊技盤２０における入賞条件やＣＲ操作パネル９２から入力される球貸要求等の払出条件に応じた数量の遊技球が球払出通路６０に払い出され、球払出通路６０を転動流下して上球皿６または下球皿７に払い出される。
【００８３】
遊技球の払い出し作動は、払出指令信号Ｃが複数蓄積されている場合、例えば払出指令信号Ｃ２がｎ個蓄積されている場合でも、各払出指令信号Ｃ２に対応して１作動ずつｎ回繰り返して行われ、ソレノイド駆動信号Ｓ２はモータ駆動信号Ｍ２の出力ごとに、モータ駆動信号Ｍ２の立ち上がりに先立って出力される。
【００８４】
このため、球払出装置５３にとって最も大きな回転トルクが必要とされる球払出モータ５３ｍの回転起動時に、球受け回転体１２０が上流側の遊技球の圧力を受けて球払出モータ５３ｍに対する負荷を軽減させ、これにより、比較的小型のモータを用いた球払出装置でも適正な払出作動を確保することができる。また球払出モータ５３ｍのみならず、球送り回転体５３ｒや受容口等に対する負荷をも軽減できるため小型の球払出装置を用いても長期間安定して作動させることができる。さらに、球流れの整流効果を持った球受け回転体１２０を設けるとともに、その回転状態を制御する回転制御機構１３０を整列通路４２ａ，４２ｂの上方に位置する基枠体３１の支持面とタンクレール４２の後方壁面との間に配設しているため、裏セット盤３０の厚さを増加させないコンパクトな構成で、上記各効果を具備した球払出制御機構を提供することができる。
【００８５】
なお、例えばソレノイド１３１近傍の基枠体３１に、裏セット盤３０の背面側から視認可能にLED等の発光素子１３７を設けるとともに、球払出制御装置８２から発光素子１３７を点滅させる発光制御信号をソレノイド駆動信号Ｓと同時に出力させ、ソレノイド１３１の駆動時に発光素子を点灯させるように構成することも好ましい。このような構成によればソレノイド１３１の駆動時、すなわち球受け回転体１２０が受圧状態Ｐｒになったときに発光素子１３７が点灯され、受圧制御ユニット１００の作動状況を裏セット盤３０の背面側から容易に目視確認することができる。
【００８６】
以上では、球払出制御装置８２に入力される払出指令信号等Ｃが、少数個または多数個の球払出指令信号Ｃ１，Ｃ２であるか球貸し要求信号Ｃ３であるかによらず、球払出装置５３の作動時全てについて受圧制御ユニットの作動を制御する制御形態を例示したが、入力される信号の種別に応じて作動状態を変化させ、あるいは払い出される遊技球の数量や払い出しの連続状況等に応じて、作動状態を適宜変更して構成すること（例えば、少数個の払出指令信号Ｃ１が複数蓄積されているような場合には、最初の払出作動時のみ受圧制御ユニットを作動させるように構成すること等）も可能である。
【００８７】
球払出制御機構には、以上説明した球払出装置５３に作用する圧力を軽減させる圧力制御機能に加えて、遊技球の流下を規制する球止め機能が設けられている。この機能は、球止め構造により達成され、例えば球有検出センサ５１の交換作業や、待機通路５２ａ，５２ｂの清掃作業、球払出装置５３の保守作業など、球貯留タンク４１に貯留された遊技球を全量球抜きする必要がないときに利用される。図１１に球受け回転体１２０を球止め状態Ｐｓにしたときの受圧制御ユニット１００の背面図を示す。
【００８８】
球止め構造１４０は、基枠体３１の支持面に形成された枠側キー支持穴１４１ａと、タンクレール４２の後方壁面に形成されたレール側キー支持孔１４１ｂ、前後の球受け回転体１２０に形成された係止溝１４２などを主体として構成され（図４〜図６を参照）、遊技施設の係員が常時携行して球抜き作業等に使用するハートキー１４５を利用して球止め操作できるように構成されている。
【００８９】
係止溝１４２は、支軸１２５を中心とする円弧状の長孔形態で同一半径上に複数形成されており、各係止溝の溝幅はハートキー１４５の線径よりも幾分大きめに形成されている。一方、枠側キー支持穴１４１ａおよびレール側キー支持孔１４１ｂは、支軸１２５直上部の同一半径位置に相対峙して設けられ、ハートキー１４５の外形よりもわずかに大きめの内径を有して形成されている。また球受け回転体１２０は、前述した開放状態Ｐｆにおいて各々回転可能に枢支され、上方に位置する受圧爪１２０ｔがタンクレール４２の後方壁面から露出した状態で回動操作可能に配設されている。
【００９０】
そこで、タンクレール４２の後方からハートキー１４５をレール側キー支持孔１４１ｂに嵌入して前後の係止溝１４２を挿通させ、キー先端部を枠側キー支持穴１４１ａに受容させて支持させる。このときキー先端部が係止溝１４２，１４２間のリブに当接するようであれば、当該当接した列側の球受け回転体をわずかに時計廻りに回動させて係止溝の角度位置を変位させることで、ハートキー１４５を挿通させることができる。そして、このように前後の係止溝を通してハートキー１４５が装着支持されると、球受け回転体１２０は係止溝１４２の形成角度範囲を超えて回動変位することが規制され、これにより、前後の球受け回転体１２０が遊技球を堰き止める球止め位置Ｐｓに係止保持されて、上流側に貯留された遊技球の下流側への流下が規制される。
【００９１】
そしてこのように球受け回転体１２０を球止め位置Ｐｓに係止保持させた状態で、前述した球抜き機構を利用して遊技球を排出させることで、受圧部材１２０〜待機通路の上部に停留する遊技球を短時間で球抜きすることができ、球有り検出スイッチ５１や球払出装置５３の点検作業や交換作業などを容易に行うことができる。
【００９２】
球払出装置５３の点検作業等を終えた後、球止め状態を解除するには、前後の受圧爪１２０ｔを軽く指で支えてハートキー１４５を後方に抜去し、支えていた指を緩やかに放せばよい。するとハートキー１４５と係止溝１４２との係合が解除された球受け回転体１２０ａ，１２０ｂが解放状態Ｐｆになり、整列通路４２ａ，４２ｂに停留されていた遊技球の球圧により自由回転して遊技球が流下する。
【００９３】
従って、以上説明したような球止め構造１４０を備えた球払出制御機構によれば、別途に独立した球止め機構を設けることなく、球受け回転体１２０をハートキー１４５で係止する簡明な装置構成で、保守作業性の良好な払出制御機構を提供することができる。
【００９４】
図１２は、受圧制御ユニットにおける球受け回転体の他の構成例を示す平面図である。この球受け回転体１２０′は、前述した球受け回転体１２０と同様に、回転盤の外周部に円弧状の球受け溝１２０ｕと山形の受圧爪１２０ｔとが交互に形成された爪車形態をなし、前後同一形状の球受け回転体１２０ａ′，１２０ｂ′が前後の整列通路４２ａ，４２ｂに対応して用いられる。球受け回転体の中心部には円筒状のボスが形成され、その中心に支軸１２５′の軸径よりもわずかに大きめの内径を有する軸孔が前後貫通して形成されている。一方、支軸１２５′は円柱状のストレートピンが用いられ、この支軸１２５′の外周面には、中央部およびボスの厚さに相当する前後位置に、Ｅリング１２６を嵌着するリング溝が形成されている。
【００９５】
球受け回転体１２０ａ′，１２０ｂ′は、まず支軸中央のリング溝にＥリング１２６を嵌着し、その前方および後方から支軸１２５′にそれぞれ球受け回転体１２０ａ′，１２０ｂ′を枢支させて、前後のリング溝にそれぞれＥリング１２６，１２６を嵌着することで、支軸１２５′に個々に回転自在に組み付けられる。そして、このように部分組立された回転体の支軸１２５′の前端部および後端部を、それぞれ軸受穴形態の枠側支軸部１１１ａ′とレール側支軸部１１１ｂ′とに支持させることで、整列通路４２ａ，４２ｂ上にそれぞれ独立して回転可能に取り付けられる。このような構成によれば、上述した球払出制御機構と同様の効果が得られることに加え、各々小型の部品である前後の球受け回転体や支軸の組付けを容易化して、組立性の良好な球払出装置を提供することができる。
【００９６】
次に、第２実施形態の球払出制御機構について説明する。本実施形態の球払出制御機構は、受圧制御ユニットにおける球受け回転体（１２０）および回転規制具（１３２）の部分が上述した球払出制御機構と異なる点を除いて、回転制御機構１３０の主要構成や、球払出制御装置８２による回転制御機構の制御形態等は、前述した第１実施形態の球払出制御機構と同様である。そこで、以下では前述した受圧制御ユニット１００と相違する球受け回転体２２０および回転規制具２３２の部分を中心に、第２実施形態の受圧制御ユニット２００について図１３および図１４を参照して説明する。
【００９７】
ここで、図１３(ａ)は解放状態における前後の球受け回転体２２０と回転規制具２３２との関係を例示する背面図、図１３(ｂ)は受圧状態における後列側の球受け回転体の規制状況を示す背面図、図１４(ａ)(ｂ)はそれぞれ解放状態と受圧状態における前後の球受け回転体２２０と回転規制具２３２との関係を例示する平面図である。なお前述した受圧制御ユニット１００と同様の構成部分には同一番号を付して重複説明を省略する。
【００９８】
球受け回転体２２０は、既述した球受け回転体１２０，１２０′と同様に、回転盤の外周部に円弧状の球受け溝１２０ｕと山形の受圧爪１２０ｔとが交互に形成された爪車形態をなし、前後同一形状の球受け回転体２２０ａ，２２０ｂが前後の整列通路４２ａ，４２ｂに対応して用いられる。各球受け回転体２２０ａ，２２０ｂの中心部には円筒状のボスが形成され、その中心に支軸２２５の軸径よりもわずかに大きめの内径を有する軸孔が前後貫通して形成されている。
【００９９】
回転板を挟んで前後に突出するボスの一方には、外周面に山形の係止突起２２０ｔが多数設けられて歯車状に形成され、その外周側に位置する回転盤には、ハートキー１４５の線径よりも幾分大きめの溝幅を有する長孔形態の係止孔２４２が、軸孔を中心とする同心円上に前後貫通して多数形成されている。前後の球受け回転体２２０は、前述した球受け回転体１２０と同様の樹脂材料を用い同様の成形手段により各一体に形成される。また支軸２２５は円柱状のストレートピンが用いられ、この支軸２２５の外周面に前後のＥリング１２６を嵌着するリング溝が形成されている。
【０１００】
球受け回転体２２０は、前後の球受け回転体２２０ａ，２２０ｂにおける係止突起２２０ｔ，２２０ｔが各回転盤の内側に位置して隣接するように支軸２２５に枢支させ、前後のリング溝にそれぞれＥリング１２６，１２６を嵌着することで、支軸２２５に個々に回転自在に組み付けられる。そして、このように部分組立された回転体の支軸２２５の前端部および後端部を、それぞれ軸受穴形態の枠側支軸部１１１ａ′とレール側支軸部１１１ｂ′とに支持させることで、整列通路４２ａ，４２ｂ上にそれぞれ独立して回転可能に取り付けられる。
【０１０１】
一方、回転規制具２３２は、厚肉平板状の基部２３２ａと、この基部２３２ａから直交方向に突出する係合凸部２３２ｂとからなり、図１４に示すように平面視凸状に形成される。係合凸部２３２ｂの先端側には、球受け回転体２２０の係止突起２２０ｔと反対形状の爪受容溝２３２ｔが内歯車状に形成されており、係止突起２２０ｔと噛み合って係合し得るようになっている。また係合凸部２３２ｂの幅は、支軸２２５に枢支された前後の球受け回転体２２０ａ，２２０ｂの回転盤の配設間隔よりも幾分狭く、基部２３２ａからの立設高さは先端の爪受容溝２３２ｔを球受け回転体２２０の係止突起２２０ｔに係合させたときに、基部２３２ａが受圧爪１２０ｔに当接しないように形成されている。基部２３２ａには、プッシュロッド先端の軸端フランジ１３１ｆを受容する係止スリット１３２ｆが基部２３２ａの下面側に開いて形成されている。回転規制具２３２は、前述した回転規制具１３２と同様の高分子材料を用い同様の成型手段により各一体に形成される。
【０１０２】
回転規制具２３２は、回転制御機構１３０の組立段階でプッシュロッド先端の軸端フランジ１３２ｆに圧入固定され、ソレノイド１３１およびソレノイド支持ブラケット１１５とともに整列通路４２ａ，４２ｂの上方に取り付けられる。
【０１０３】
こうして球受け回転体２２０と回転制御機構１３０とが組み付けられた受圧制御ユニット２００の取付状態（ソレノイド駆動信号ＳがOFFの状態）では、回転規制具の係合凸部２３２ｂが前後の球受け回転体２２０ａ，２２０ｂの回転盤の間に位置し、常にはソレノイド１３１のリターンスプリング１３１ｄのバネ力によって基部２３２ａがケース１３１ａに当接支持されて、図１３(ａ)および図１４(ａ)に示すように爪受容溝２３２ｔが係止突起２２０ｔと離れた状態で保持される。
【０１０４】
このため、前後の球受け回転体２２０ａ，２２０ｂは回転規制具２３２から何らの規制力を受けることなく各々自由に回転し得る解放状態Ｐｆとされ、整列通路４２ａ，４２ｂを流下する遊技球は、各球受け回転体２２０ａ，２２０ｂをそれぞれ反時計廻りに回転させながら偏向出口４３に向けてそのまま流下する。
【０１０５】
一方、球払出モータ５３ｍの回転起動に回転起動に先立って、ソレノイド駆動信号ＳがONされると、プッシュロッド１３１ｅがケース１３１ａから押し出され、回転規制具の係合凸部２３２ｂが前後の球受け回転体２２０ａ，２２０ｂの回転盤の間に進入して、係合凸部２３２ｂの先端部が前後両方の回転体２２０の係止突起２２０ｔに押し付けられる。ここで、係合凸部２３２ｂの先端には係止突起２２０ｔと反対形状の爪受容溝２３２ｔが内歯車状に形成されており、係合凸部２３２ｂの先端部が係止突起２２０ｔに押し付けられると、前後各列の係止突起２２０ｔはそれぞれ最も近い角度位置にある爪受容溝２３２ｔと噛合して係止される（図１３(ｂ)，図１４(ｂ)）。
【０１０６】
これにより前後の球受け回転体２２０ａ，２２０ｂが当該回転角度位置に係止され、整列通路４２ａ，４２ｂの上流側に貯留された遊技球から作用する圧力が各列の球受け回転体２２０ａ，２２０ｂに受け止められた受圧状態Ｐｒになる。回転制御機構１３０の作動制御は、既に図７および図８を参照して説明した前述の作動制御と同様に行われ、ソレノイド駆動信号Ｓが、球払出モータ５３ｍを回転させるモータ駆動信号Ｍの出力ごとに、モータ駆動信号Ｍの立ち上がりに先立って出力され、球受け回転体２２０が受圧状態Ｐｒに設定される。
【０１０７】
このため、球払出装置５３にとって最も大きな回転トルクが必要とされる球払出モータ５３ｍの回転起動時に、球受け回転体２２０が上流側の遊技球の圧力を受け止めて球払出モータ５３ｍに対する負荷を軽減させ、これにより、比較的小型のモータを用いた球払出装置でも適正な払出作動を確保することができる。また球払出モータ５３ｍのみならず、球送り回転体５３ｒや受容口等に対する負荷をも軽減できるため小型の球払出装置を用いても長期間安定して作動させることができる。
【０１０８】
なお、受圧制御ユニット２００には、前述した球止め構造１４０と一部類似した形態の球止め構造２４０が併設されており、以下簡潔に説明する。球止め構造２４０は、基枠体３１の支持面に形成された枠側キー支持穴２４１ａと、タンクレール４２の後方壁面に形成されたレール側キー支持孔２４１ｂ、および前後の球受け回転体２２０に形成された係止孔２４２などからなり、ハートキー１４５を利用して球止め操作できるように構成されている。
【０１０９】
係止孔２４２は、やや長孔形態で支軸１２５を中心とする同一半径上に多数形成されており、各係止孔の溝幅はハートキー１４５の線径よりも幾分大きめに形成されている。一方、枠側キー支持穴２４１ａおよびレール側キー支持孔２４１ｂは、支軸１２５の右側に位置して係止孔と同一半径位置に相対峙して設けられ、ハートキー１４５の外形よりもわずかに大きめの内径を有して形成されている。球受け回転体２２０は開放状態Ｐｆにおいて各々回転可能に枢支され、上方に位置する受圧爪１２０ｔがタンクレール４２の後方壁面から露出した状態で回動操作可能に配設されている。
【０１１０】
このため、タンクレール４２の後方からハートキー１４５をレール側キー支持孔２４１ｂに嵌入し、前後の球受け回転体２２０ａ，２２０ｂをわずかに回動させて係止孔２４２の角度位置を位置合わせしながらハートキー１４５を挿通させ、キー先端部を枠側キー支持穴２４１ａに受容させて支持させる。このように前後の係止孔２４２を通してハートキー１４５が装着支持されると、球受け回転体２２０は係止孔２４２の長孔分の角度範囲を超えて回動変位することが規制され、これにより、前後の球受け回転体２２０がほとんど回動変位することなく遊技球を堰き止める球止め位置Ｐｓに係止保持される。
【０１１１】
従って、以上説明したような球止め構造２４０を備えた球払出制御機構によれば、別途に独立した球止め機構を設けることなく、球受け回転体２２０をハートキー１４５で係止する簡明な装置構成で、保守作業性の良好な払出制御機構を提供することができる。
【０１１２】
なお、以上の実施形態では、回転規制具の駆動源としてプッシュ型の直動ソレノイド１３１を用い、プッシュロッド１３１ｅの先端に嵌着固定した回転規制具１３２，２３２を直接押し出し駆動して球受け回転体１２０，２２０に係合させ、球受け回転体の回動を規制する構成例を示したが、回転規制具の駆動源は吸引型の直動ソレノイドやロータリソレノイドを用いてもよく、回転規制具を直接または間接的にスライドないし揺動させて球受け回転体の回動を規制するものであってもよい。またこれらの駆動源はタンクレール４２の内側のみならず、タンクレール４２の後面側や裏セット盤３０の前面側に設けるものであってもよい。さらに、実施例では受圧ユニットをタンクレール４２の終端近傍に設けた例を示したが、受圧ユニットは球貯留タンク４１と球払出装置５３との間を繋ぐ案内通路の何処に設ける構成であってもよく、例えば待機通路の上部または下部に設ける構成であってもよい。
【図面の簡単な説明】
【０１１３】
【図１】本発明に係る球払出制御機構を備えた弾球遊技機の一例として示すパチンコ機の正面図である。
【図２】上記パチンコ機の背面図である。
【図３】第１実施形態の球払出制御機構における受圧制御ユニットの背面図である。
【図４】上記受圧制御ユニットの平面図である。
【図５】図３中のV〜矢視方向に見た側断面図である。
【図６】上記受圧制御ユニットを斜め前方から見た分解斜視図である。
【図７】球払出制御機構の制御形態を主として示すブロック図である。
【図８】球払出制御機構におけるソレノイドと球払出モータの駆動タイミングを示すタイミングチャートである。
【図９】受圧状態における上記受圧制御ユニットの背面図である。
【図１０】受圧状態における球受け回転体の規制状況を示す背面図であって、(ａ)図は前列側の球受け回転体による規制状況を、(ｂ)図は後列側の球受け回転体による規制状況をそれぞれ示す背面図である。
【図１１】球受け回転体を球止め状態にしたときの上記受圧制御ユニットの背面図である。
【図１２】受圧制御ユニットにおける球受け回転体の他の構成例を示す平面図である。
【図１３】第２実施形態の受圧制御機構の作動変移を示す背面図であって、(ａ)図は解放状態における前後の球受け回転体と回転規制具との位置関係を、(ｂ)図は受圧状態における後列側の球受け回転体の規制状況をそれぞれ示す背面図である。
【図１４】第２実施形態の受圧制御機構の作動変移を示す平面図であって、(ａ)図は解放状態における前後の球受け回転体と回転規制具との位置関係を、(ｂ)図は受圧状態における前後の球受け回転体の規制状況をそれぞれ示す平面図である。
【図１５】従来の球払出制御機構における球払出装置周辺の構成例を示す背面図である。
【図１６】従来の球払出制御機構による払い出しの作用を示す説明図である。
【符号の説明】
【０１１４】
ＰＡ  遊技領域
ＰＭ  パチンコ機
Ｐｆ  開放状態
Ｐｒ  受圧状態
Ｐｓ  球止め位置
Ｃ１，Ｃ２  払出指令信号
Ｃ３  球貸要求信号
Ｍ１，Ｍ２，Ｍ３  モータ駆動信号
Ｓ１，Ｓ２，Ｓ３  ソレノイド駆動信号
１  外枠
２  前枠
３  ヒンジ機構
４  施錠装置
５  ガラス扉（５ｈ  球抜き操作孔）
６  上球皿
７  下球皿
８  発射ハンドル
９  遊技球発射装置
２０  遊技盤
２１  化粧板
２２  案内レール
２３  一般入賞具（２３ｓ  入賞検出センサ）
２４  始動入賞具（２４ｓ  入賞検出センサ）
２５  アタッカー装置（２５ｓ，２５ｔ  入賞検出センサ）
２７  図柄表示装置
２８  アウト口
２９  球寄せカバー
３０  裏セット盤
３１  基枠体
３２  窓口
３３  右枠杆
３５  支持ボス
３６  枢支軸
４１  球貯留タンク
４２  タンクレール
（４２ａ  前列側の整列通路、４２ｂ  後列側の整列通路、４２ｗ  仕切壁）
４３  偏向出口
４４  球均し具
５１  球有検出センサ
５２  Ｓ字レール
（５２ａ  前列側の待機通路、５２ｂ  後列側の待機通路）
５３  球払出装置
（５３ａ  前列側の受容口、５３ｂ  後列側の受容口、５３ｃ，５３ｄ  左右の払出口、
５３ｍ  球払出モータ、５３ｒ  球送り回転体、５３ｒ１  前列側のインペラ、
５３ｒ２  後列側のインペラ）
５４  球計数センサ
５５  流路切り替え部材
（５５ａ  通路壁、５５ｂ  支軸孔、５５ｃ  閉止保持係合孔、
５５ｄ  開放保持係合辺）
５６  操作部材
（５６ｂ  操作レバー部、５６ｃ  係合突起）
５７  球抜き通路
（５７ａ  予備通路、５７ｂ  連絡開口）
５８  蓋部材
６０  球払出通路
８１  主制御装置
８２  球払出制御装置
８３  ランプ・音声制御装置
８４  電源ユニット
８５  ターミナル基板
８７  図柄表示制御装置
９０  プリペイドカードユニット
９２  ＣＲ操作パネル
１００  受圧制御ユニット（第１実施形態）
１１１ａ，１１１ａ′  枠側支軸部
１１１ｂ，１１１ｂ′  レール側支軸部
１１２  整列補助壁
１１３  上動規制壁
１１５  ソレノイド支持ブラケット
（１１５ａ  支持枠、１１５ｂ  フランジ部、１１５ｈ  固定ネジ挿通孔、
１１５ｓ  ネジ挿通孔）
１１８  ブラケット固定ネジ
１１９  ネジ受容ボス
１２０，１２０′  球受け回転体
（１２０ａ，１２０ａ′  前列側の球受け回転体、
１２０ｂ，１２０ｂ′  後列側の球受け回転体、
１２０ｔ  受圧爪、１２０ｕ  球受け溝）
１２３  スペーサーカラー
１２５，１２５′  支軸
１２６  Ｅリング
１３０  回転制御機構
１３１  ソレノイド
（１３１ａ  ケース、１３１ｂ  駆動コイル、１３１ｃ  プランジャ、
１３１ｄ  リターンスプリング、１３１ｅ  プッシュロッド、１３１ｆ  軸端フランジ
１３１ｓ  雌ネジ部）
１３２  回転規制具
（１３２ｆ  係止スリット、１３２ｔ  爪受容溝）
１３７  発光素子
１３８  ネジ
１４０  球止め構造
１４１ａ  枠側キー支持穴
１４１ｂ  レール側キー支持孔
１４２  係止溝
１４５  ハートキー
２００  受圧制御ユニット（第２実施形態）
２２０  球受け回転体
（２２０ａ  前列側の球受け回転体、２２０ｂ  後列側の球受け回転体、
２２０ｔ  係止突起）
２２５  支軸
２３２  回転規制具
（２３２ａ  基部、２３２ｂ  係合凸部、２３２ｔ  爪受容溝）
２４０  球止め構造
２４１ａ  枠側キー支持穴
２４１ｂ  レール側キー支持孔
２４２  係止孔
【図１】
2005160552.tif 000003
【図２】
2005160552.tif 000004
【図３】
2005160552.tif 000005
【図４】
2005160552.tif 000006
【図５】
2005160552.tif 000007
【図６】
2005160552.tif 000008
【図７】
2005160552.tif 000009
【図８】
2005160552.tif 000010
【図９】
2005160552.tif 000011
【図１０】
2005160552.tif 000012
【図１１】
2005160552.tif 000013
【図１２】
2005160552.tif 000014
【図１３】
2005160552.tif 000015
【図１４】
2005160552.tif 000016
【図１５】
2005160552.tif 000017
【図１６】
2005160552.tif 000018